(57)【特許請求の範囲】
【請求項１】
ディスプレイを備え、通常モード及び省電力モードで動作可能な印刷装置であって、
前記通常モードから前記省電力モードへの移行を禁止する禁止時間帯を示す禁止時間帯領域と、前記通常モードから前記省電力モードへの移行を禁止しない許可時間帯を示す許可時間帯領域とを環状に形成した第一の環状領域を前記ディスプレイに表示するとともに、前記禁止時間帯又は前記許可時間帯の開始時刻又は終了時刻の時単位の設定を受け付け、前記禁止時間帯領域又は前記許可時間帯領域の始端位置又は終端位置を、受け付けた時に応じて変化させる設定手段と、
前記設定された省電力時間帯の間、前記通常モードから前記省電力モードへの移行を禁止する制御手段と、を有し、
前記設定手段は、２４時間のうち１２時間と残りの１２時間とを表す２つの環状領域として、前記第一の環状領域を表示する、
ことを特徴とする印刷装置。
【請求項２】
請求項１に記載の印刷装置であって、
前記設定手段は、前記禁止時間帯又は前記許可時間帯の開始時刻又は終了時刻の分単位の設定を指示する所定操作を受け付けた場合、前記禁止時間帯又は前記許可時間帯の開始時刻又は終了時刻の時を６０分の環状に形成した第二の環状領域を表示するとともに、前記禁止時間帯又は前記許可時間帯の開始時刻又は終了時刻の分単位の設定を受け付け、前記第二の環状領域の前記禁止時間帯領域又は前記許可時間帯領域の始端位置又は終端位置を、受け付けた分に応じて変化させる、
ことを特徴とする印刷装置。
【請求項３】
請求項１又は２に記載の印刷装置であって、
前記設定手段は、前記第一の環状領域の現在時刻に対応する位置に、現在時刻を示す領域を表示する、
ことを特徴とする印刷装置。
【請求項４】
請求項２に記載の印刷装置であって、
前記設定手段は、前記第一の環状領域とともに前記第二の環状領域を表示し、前記第二の環状領域を前記第一の環状領域よりも大きく表示する、
ことを特徴とする印刷装置。
【請求項５】
請求項２又は４に記載の印刷装置であって、
前記設定手段は、前記第二の環状領域を表示する場合、前記第一の環状領域の前記禁止時間帯領域又は前記許可時間帯領域の始端位置又は終端位置を強調表示する、又は、始端位置又は終端位置を指す画像を表示する、
ことを特徴とする印刷装置。
【請求項６】
請求項１〜５のいずれか一項に記載の印刷装置であって、
前記設定手段は、前記禁止時間帯又は前記許可時間帯の開始時刻又は終了時刻を、文字で表示する、
ことを特徴とする印刷装置。
【請求項７】
請求項１〜６のいずれか一項に記載の印刷装置であって、
前記印刷装置は、ディスプレイを有する外部装置と接続され、
前記設定手段は、表示情報を前記外部装置に送信し、開始時刻又は終了時刻を前記外部装置から受信する、
ことを特徴とする印刷装置。
【請求項８】
ディスプレイを備え、通常モード及び省電力モードで動作可能な印刷装置における設定表示方法であって、
前記通常モードから前記省電力モードへの移行を禁止する禁止時間帯を示す禁止時間帯領域と、前記通常モードから前記省電力モードへの移行を禁止しない許可時間帯を示す許可時間帯領域とを環状に形成した第一の環状領域を前記ディスプレイに表示するとともに、前記禁止時間帯又は前記許可時間帯の開始時刻又は終了時刻の時単位の設定を受け付け、前記禁止時間帯領域又は前記許可時間帯領域の始端位置又は終端位置を、受け付けた時に応じて変化させ、
２４時間のうち１２時間と残りの１２時間とを表す２つの環状領域として、前記第一の環状領域を表示する、
ことを特徴とする設定表示方法。
【発明の詳細な説明】
【技術分野】
【０００１】
本発明は、印刷装置、及び印刷装置における設定表示方法に関する。
【背景技術】
【０００２】
コピー機、複合機、プリンターなどの印刷装置において、動作モードとして、通常モードと通常モードよりも消費電力を低減した省電力モード（「節電モード」ともいう。）を有するものが知られている。
【０００３】
例えば、特許文献１には、節電モードの実行を禁止する禁止時間帯を設定する手段と、現在時刻が前記禁止時間帯であれば、通常モードを保持する制御手段とを備える画像形成装置が記載されている。
【先行技術文献】
【特許文献】
【０００４】
【特許文献１】特開２００５−１７８１０６号公報
【発明の概要】
【発明が解決しようとする課題】
【０００５】
ところで、時間帯を設定するためには、ユーザーは、その時間帯の開始時刻及び終了時刻を設定する必要がある。一般的に、時刻は、ｈｈ：ｍｍ（時：分、例えば、１０時３５分であれば１０：３５）形式で、キーなどを操作することにより入力される。
【０００６】
しかし、開始時刻と終了時刻がｈｈ：ｍｍ形式で単に羅列されて表示されても、これらの時刻が時間帯（例えば、省電力モードを禁止する禁止時間帯）を示しているのか、この時間帯に何が行われるのかなどを、ユーザーは直感的に把握しにくい。また、時間帯の設定を、印刷装置の管理者など印刷装置の操作に慣れた人が行う場合には問題は少ないが、一般ユーザーが行う場合にはより分かり易い表示が求められる。
【０００７】
そこで、本発明は、印刷装置における動作モードの時間帯の設定の使い勝手を向上することを目的とする。
【課題を解決するための手段】
【０００８】
上記の課題を解決するための本発明の一態様は、ディスプレイを備え、通常モード及び省電力モードで動作可能な印刷装置であって、前記通常モードから前記省電力モードへの移行を禁止する禁止時間帯を示す禁止時間帯領域と、前記通常モードから前記省電力モードへの移行を禁止しない許可時間帯を示す許可時間帯領域とを環状に形成した第一の環状領域を前記ディスプレイに表示するとともに、前記禁止時間帯又は前記許可時間帯の開始時刻又は終了時刻の時単位の設定を受け付け、前記禁止時間帯領域又は前記許可時間帯領域の始端位置又は終端位置を、受け付けた時に応じて変化させる設定手段と、前記設定された省電力時間帯の間、前記通常モードから前記省電力モードへの移行を禁止する制御手段と、を有し、前記設定手段は、２４時間のうち１２時間と残りの１２時間とを表す２つの環状領域として、前記第一の環状領域を表示する、ことを特徴とする。
【００１０】
また、前記設定手段は、前記禁止時間帯又は前記許可時間帯の開始時刻又は終了時刻の分単位の設定を指示する所定操作を受け付けた場合、前記禁止時間帯又は前記許可時間帯の開始時刻又は終了時刻の時を６０分の環状に形成した第二の環状領域を表示するとともに、前記禁止時間帯又は前記許可時間帯の開始時刻又は終了時刻の分単位の設定を受け付け、前記第二の環状領域の前記禁止時間帯領域又は前記許可時間帯領域の始端位置又は終端位置を、受け付けた分に応じて変化させる、ことを特徴としてもよい。
【００１１】
また、前記設定手段は、前記第一の環状領域の現在時刻に対応する位置に、現在時刻を示す領域を表示する、ことを特徴としてもよい。
【００１２】
また、前記設定手段は、前記第一の環状領域とともに前記第二の環状領域を表示し、前記第二の環状領域を前記第一の環状領域よりも大きく表示する、ことを特徴としてもよい。
【００１３】
また、前記設定手段は、前記第二の環状領域を表示する場合、前記第一の環状領域の前記禁止時間帯領域又は前記許可時間帯領域の始端位置又は終端位置を強調表示する、又は、始端位置又は終端位置を指す画像を表示する、ことを特徴としてもよい。
【００１５】
また、前記設定手段は、前記禁止時間帯又は前記許可時間帯の開始時刻又は終了時刻を、文字で表示する、ことを特徴としてもよい。
【００１７】
また、前記印刷装置は、ディスプレイを有する外部装置と接続され、前記設定手段は、表示情報を前記外部装置に送信し、開始時刻又は終了時刻を前記外部装置から受信する、ことを特徴としてもよい。
【００１８】
上記の課題を解決するための本発明の他の態様は、ディスプレイを備え、通常モード及び省電力モードで動作可能な印刷装置における設定表示方法であって、前記通常モードから前記省電力モードへの移行を禁止する禁止時間帯を示す禁止時間帯領域と、前記通常モードから前記省電力モードへの移行を禁止しない許可時間帯を示す許可時間帯領域とを環状に形成した第一の環状領域を前記ディスプレイに表示するとともに、前記禁止時間帯又は前記許可時間帯の開始時刻又は終了時刻の時単位の設定を受け付け、前記禁止時間帯領域又は前記許可時間帯領域の始端位置又は終端位置を、受け付けた時に応じて変化させ、２４時間のうち１２時間と残りの１２時間とを表す２つの環状領域として、前記第一の環状領域を表示する、ことを特徴とする。
【００１９】
上記した以外の課題、構成、及び効果は、以下の実施形態の説明により明らかにされる。
【図面の簡単な説明】
【００２０】
【図１】本発明の第一実施形態に係る、プリンターのハードウェアの概略構成の一例を示す図である。
【図２】操作パネルの外観の一例を示す図である。
【図３】プリンターの省電力禁止時間帯の設定に関する機能構成の一例を示す図である。
【図４】省電力禁止時間帯を表示する画面の第一例を示す図である。
【図５】省電力禁止時間帯の開始時刻（時）を設定する画面の第一の例を示す図である。
【図６】省電力禁止時間帯の開始時刻（分）を設定する画面の第一の例を示す図である。
【図７】省電力禁止時間帯の終了時刻（時）を設定する画面の第一の例を示す図である。
【図８】省電力禁止時間帯の終了時刻（分）を設定する画面の第一の例を示す図である。
【図９】省電力禁止時間帯を表示する画面の第二の例を示す図である。
【図１０】省電力禁止時間帯を設定する画面の第二の例と、画面遷移の一例を示す図である。
【図１１】省電力禁止時間帯を表示する画面の変形例を示す図である。
【図１２】プリンターに接続された外部装置に出力される省電力禁止時間帯を設定する画面の一例を示す図である。
【図１３】省電力禁止時間帯を表示する画面の他の変形例を示す図である。
【図１４】複数の省電力禁止時間帯を表示する画面の一例を示す図である。
【発明を実施するための形態】
【００２１】
以下、本発明の第一実施形態の一例について、図面を参照しながら説明する。
【００２２】
本実施形態の一例では、通常モード及び省電力モードで動作可能な印刷装置として、プリンターを例に挙げて説明する。もちろん、印刷装置は、プリンターに限られず、コピー機、複合機などであってもよい。
【００２３】
図１は、プリンターのハードウェアの概略構成の一例を示す図である。
【００２４】
プリンター１は、例えば、インクジェット方式やレーザー方式のプリンターである。プリンター１は、コントローラー１０と、操作パネル２０と、印刷エンジン３０と、ネットワークインターフェイス（Ｉ／Ｆ）４０とを有する。
【００２５】
コントローラー１０は、例えば、プリンター１の主要機能を搭載したチップ（ＳｏＣ：System on Chip）などで構成され、プリンター１全体の動作を制御する。
【００２６】
例えば、コントローラー１０は、ネットワークＩ／Ｆ４０を介して印刷データを受信すると、当該印刷データに基づいて印刷エンジン３０に出力する印字データを生成し、印刷エンジン３０を制御して印字データに基づく印刷を実行させる。また、例えば、コントローラー１０は、操作パネル２０へのメニュー画面や各種設定画面の表示を行う。また、コントローラー１０は、操作パネル２０を介してユーザーの操作を受け付け、各種設定の変更を受け付ける。
【００２７】
また、コントローラー１０は、プリンター１の通常モード及び省電力モードの制御を行う。例えば、コントローラー１０は、通常モードにおいて、所定条件（例えば、所定時間、印刷データの受信やユーザーの操作がない場合）の成立を監視し、該所定条件が成立した場合、各ユニット（コントローラー１０、操作パネル２０、印刷エンジン３０、ネットワークＩ／Ｆ４０）の少なくとも一部の電源供給をオフにすることにより、プリンター１を省電力モードに移行する。また、省電力モードにおいて、所定条件（例えば、印刷データを受信したりユーザーの操作を受け付けたりした場合）の成立を監視し、該所定条件が成立した場合、各ユニットへの電源供給をオンにすることにより、プリンター１を通常モードに移行する。
【００２８】
本実施形態では、コントローラー１０は、操作パネル２０を介して、省電力モードへの移行を禁止する省電力禁止時間帯の設定を受け付ける。省電力禁止時間帯の設定方法の詳細は、後述する。
【００２９】
コントローラー１０は、省電力禁止時間帯の設定に従って、省電力モードへの移行を制御する。例えば、コントローラー１０は、現在時刻が省電力禁止時間帯に属する場合、上述の所定条件の監視を行わず、通常モードから省電力モードへの移行を禁止する。一方、現在時刻が、省電力禁止時間帯以外の時間帯、すなわち省電力モードへの移行が許可されている省電力許可時間帯に属する場合、上述の所定条件の成立を監視する。
【００３０】
上記のような処理を実現するために、コントローラー１０は、ＣＰＵ（Central Processing Unit）１１と、ＲＡＭ（Random Access Memory）１２と、ＲＯＭ（Read Only Memory）１３とを備える。なお、コントローラー１０は、上記の各種処理を専用に行うように設計されたＡＳＩＣで構成されていてもよい。
【００３１】
ＣＰＵ１１は、各種プログラムを実行する。ＲＡＭ１２は、印刷データや印字データなどの各種データおよびプログラム等を一時的に記憶する。ＲＯＭ１３には、プリンター１を制御するための各種データ、各種プログラム等があらかじめ不揮発的に記憶されている。
【００３２】
操作パネル２０は、ユーザーとプリンター１のインターフェイスとして機能する。操作パネル２０は、例えば、画像等を表示するディスプレイと、ユーザーの操作を受け付けるボタン等の入力装置とを備える。
【００３３】
操作パネル２０は、例えば、図２に示すような構成とすることができる。本図では、操作パネル２０は、ディスプレイ２１と、キー２２、２３（ａ〜ｄ）とを備える。
【００３４】
ディスプレイ２１は、例えば、コントローラー１０で生成されたグラフィックス情報を表示する。ディスプレイ２１は、例えば、液晶ディスプレイ（Liquid Crystal Display）、有機ＥＬディスプレイ（Electro-Luminescence Display）などで構成される。
【００３５】
キー２２、２３（ａ〜ｄ）は、例えば、押しボタン式スイッチである。本図では、キー２２は、決定キーであり、キー２３（ａ〜ｄ）は、それぞれ上右下左の方向キーである。キーを操作することにより、ディスプレイ２１に表示されたメニュー項目の選択、文字や数字の入力などを行うことができる。
【００３６】
もちろん、ディスプレイ２１の表示面側又はその反対側に、タッチパネルが設けられていてもよい。タッチパネルは、例えば、ディスプレイ２１に表示された画像のＸＹ座標と対応したタッチ位置を特定し、タッチ位置を座標に変換してコントローラー１０に出力する。タッチパネルは、例えば、１点のタッチ位置の座標を検出可能な抵抗膜方式である。もちろん、方式はこれに限られず、複数点のタッチ位置の座標を検出可能な静電容量方式などであってもよい。
【００３７】
印刷エンジン３０は、コントローラー１０からの指示に基づいて、コントローラー１０から出力された印字データを印刷媒体に印刷する。印刷エンジン３０は、例えば、インクジェット方式やレーザー方式である。
【００３８】
ネットワークＩ／Ｆ４０は、ＬＡＮなどのネットワークに接続して、パーソナルコンピューターなどのホストと通信するユニットである。
【００３９】
以上が、プリンターのハードウェアの概略構成の一例である。ただし、この構成は、本願発明の特徴を説明するにあたって主要構成を説明したのであって、上記の構成に限られない。また、一般的なプリンターが備える構成を排除するものではない。
【００４０】
図３は、プリンターの省電力禁止時間帯の設定に関する機能構成の一例を示す図である。以下では、プリンター１の省電力禁止時間帯の設定方法に着目して説明する。
【００４１】
コントローラー１０は、設定受付部１００と、印刷制御部１１０とを有する。
【００４２】
これらの機能部は、例えば、ＣＰＵ１１がＲＯＭ１３からＲＡＭ１２にロードした所定のプログラムを実行することにより実現される。この所定のプログラムは、予め記ＲＯＭ１３に格納される。もちろん、ネットワークＩ／Ｆ４０を介してネットワーク上からダウンロードされてインストールおよび／または更新されてもよい。また、プリンター１が可搬型の記憶媒体を読み取る装置を有する場合は、当該記憶媒体から読み出されてインストールおよび／または更新されてもよい。
【００４３】
印刷制御部１１０は、印刷に関する制御、通常モード及び省電力モードの制御、省電力禁止時間帯の設定に従った省電力モードの制御などを行う機能部である。
【００４４】
例えば、印刷制御部１１０は、ネットワークＩ／Ｆ４０を介して印刷データを受信すると、当該印刷データに基づいて印刷エンジン３０に出力する印字データを生成し、印刷エンジン３０を制御して印字データに基づく印刷を実行させる。通常モード及び省電力モードの制御は、上記のコントローラー１０の説明で記載したとおりである。
【００４５】
また、例えば、印刷制御部１１０は、設定受付部１００から省電力禁止時間帯に関する設定を取得する。そして、省電力禁止時間帯に従って、省電力モードへの移行を制御する。省電力禁止時間帯の設定に従った省電力モードの制御は、上記のコントローラー１０の説明で記載したとおりである。
【００４６】
設定受付部１００は、操作パネル２０の入力制御および表示制御を行う機能部である。例えば、設定受付部１００は、操作パネル２０の各種キーの操作内容を解析し、当該操作内容に応じてディスプレイ２１の表示する画像を変化させる。
【００４７】
以下では、省電力禁止時間帯の設定方法に着目して、具体的に説明する。
【００４８】
設定受付部１００は、省電力禁止時間帯の開始時刻及び終了時刻の入力を受け付ける。設定受付部１００は、例えば、省電力時間帯ごとに、その開始時刻（ｈｈ：ｍｍ）と終了時刻（ｈｈ：ｍｍ）とを対応付けたレコードを格納する、省電力禁止時間帯テーブル１０１を有する。設定受付部１００は、入力された省電力禁止時間帯の開始時刻及び終了時刻を対応付けたレコードを、省電力禁止時間帯テーブル１０１に記録する。
【００４９】
設定受付部１００は、例えば、図４〜８に示すような画面を表示する。図４〜８は、後述する図９〜１０の場合と比べて、ディスプレイ２１の面積が大きい場合の表示態様である。
【００５０】
図４は、省電力禁止時間帯を表示する画面の第一の例を示す図である。
【００５１】
設定受付部１００は、例えば、操作パネル２０のキー操作により、省電力禁止時間帯を表示するためのメニュー項目の選択を受け付けると、画面２００Ａをディスプレイ２１に表示する。なお、省電力禁止時間帯（開始時刻８：００、終了時刻１７：００）が、既に省電力禁止時間帯テーブル１０１に設定されているものとする。
【００５２】
画面２００Ａには、円環状領域２１０が表示される。円環状領域２１０は、中心から所定の大きさの円状の孔が空けられた円グラフと呼ぶこともできる。円環状領域２１０は、時計回りに３６０度で２４時間（０：００〜２４：００）の時間帯を表す。円環状領域２１０には、省電力禁止時間帯を示す禁止時間帯領域２２０と、省電力許可時間帯を示す許可時間帯領域２３０とが含まれ、これらの領域が連続して環状を形成している。また、これらの領域は、区別して視認できるように異なる態様（例えば、異なる色、異なる模様）で表示される。領域２２０の始端は、開始時刻（８：００）に対応する回転角度（０時から１２０度）の位置に表示され、領域２２０の終端は、終了時刻に対応する回転角度（０時から２５５度）の位置に表示される。なお、省電力禁止時間帯の開始時刻は、隣接する許可時間帯の終了時刻と対応し、省電力禁止時間帯の終了時刻は、隣接する許可時間帯の開始時刻と対応する。
【００５３】
また、円環状領域２１０には、現在時刻（時分）を示す現在時刻領域２４０が、現在時刻（１５：３０）に対応する回転角度（０時から２３２．５度）の位置に表示される。また、円環状領域２１０の内側の領域には、現在時刻が文字で表示される。また、円環状領域２１０の外側の領域には、領域２２０の始端の近傍に開始時刻が文字で表示される。また、領域２２０の終端の近傍に終了時刻が文字で表示される。
【００５４】
図５は、省電力禁止時間帯の開始時刻（時）を設定する画面の第一の例を示す図である。図４と異なる点を中心に説明する。
【００５５】
本実施形態では、設定受付部１００は、例えば、開始時刻（時）、開始時刻（分）、終了時刻（時）、終了時刻（分）のそれぞれについて、この順序又は他の所定順序で設定変更を受け付ける。始めて省電力禁止時間帯を設定する場合には、デフォルトの開始時間及び終了時刻が設定されているものとする。
【００５６】
設定受付部１００は、例えば、操作パネル２０を介して、省電力禁止時間帯を設定するメニュー項目の操作を受け付けると、画面２００Ｂを操作パネルのディスプレイ２１に表示する。なお、省電力禁止時間帯（開始時刻８：００、終了時刻１７：００）が、既に省電力禁止時間帯テーブル１０１に設定されているものとする。
【００５７】
画面２００Ｂは、開始時刻（時）の設定変更を受け付ける画面であり、変更対象である開始時刻（時）の数値（「８：００」の「８」）に、カーソル２５０が表示される。
【００５８】
設定受付部１００は、例えば、キー２３の操作に応じて、カーソル２５０が表示されている開始時刻（時）の数値を増減させるとともに、開始時刻（時分）に対応する回転角度の位置に、円環状領域２１０の領域２２０の始端を変更する。また、テーブル１０１のレコードの内容も変更する。
【００５９】
図６は、省電力禁止時間帯の開始時刻（分）を設定する画面の第一の例を示す図である。
【００６０】
設定受付部１００は、例えば、画面２００Ｂにおいて、開始時刻（時）を決定する操作を受け付けると、画面２００Ｃを操作パネルのディスプレイ２１に表示する。なお、画面２００Ｃでは、開始時刻８：００が８：２０に変更された場合を表している。
【００６１】
画面２００Ｃには、上述の円環状領域２１０に加え、円環状領域２６０が表示される。円環状領域２１０は、図４と比べて縮小表示され、円環状領域２６０は、円環状領域２１０よりも大きく（図４の円環状領域２１０と同程度の大きさで）表示される。円環状領域２６０は、時計回りに３６０度で６０分（０〜６０）の時間帯を表す。円環状領域２６０には、省電力許可時間帯を示す許可時間帯領域２７０と、省電力禁止時間帯を示す禁止時間帯領域２８０とが含まれ、これらの領域は、区別して視認できるように異なる態様で表示される。領域２８０の始端は、開始時刻（分）に対応する回転角度（０分から１２０度）の位置に表示される。終了時刻（時）が開始時刻（時）よりも後である場合、領域２８０の終端は、０分の位置に表示される。終了時刻（時）が開始時刻（時）と同じである場合、領域２８０の終端は、終了時刻（分）に対応する回転角度の位置に表示される。
【００６２】
また、円環状領域２６０の外側の領域には、領域２８０の始端の近傍に開始時刻が文字で表示される。また、円環状領域２１０の外側の領域には、省電力禁止時間帯を示す領域の始端の近傍に変更対象時刻（開始時刻）を指す画像２９０が表示される。本図では、画像２９０は矢印の形状である。画像２９０の表示に替えて、領域の始端を点滅させたり、強調表示させたりするようにしてもよい。なお、円環状領域２６０に、現在時刻領域を表示させてもよい。
【００６３】
また、変更対象である開始時刻（分）の数値（「８：２０」の「２０」）に、カーソル２５０が表示される。
【００６４】
設定受付部１００は、例えば、キー２３の操作に応じて、カーソル２５０が表示されている開始時刻（分）の数値を増減させるとともに、開始時刻（分）に対応する回転角度の位置に、円環状領域２６０の領域２８０の始端を変更する。また、テーブル１０１のレコードの内容も変更する。
【００６５】
図７は、省電力禁止時間帯の終了時刻（分）を設定する画面の第一の例を示す図である。図５と異なる点を中心に説明する。
【００６６】
設定受付部１００は、例えば、画面２００Ｃにおいて、開始時刻（分）を決定する操作を受け付けると、画面２００Ｄを操作パネルのディスプレイ２１に表示する。
【００６７】
画面２００Ｄは、終了時刻（時）の設定変更を受け付ける画面であり、変更対象である終了時刻（時）の数値（「１７：００」の「１７」）に、カーソル２５０が表示される。
【００６８】
設定受付部１００は、例えば、キー２３の操作に応じて、カーソル２５０が表示されている終了時刻（時）の数値を増減させるとともに、終了時刻（時分）に対応する回転角度の位置に、円環状領域２１０の領域２２０の終端を変更する。また、テーブル１０１のレコードの内容も変更する。
【００６９】
図８は、省電力禁止時間帯の終了時刻（分）を設定する画面の第一の例を示す図である。図６と異なる点を中心に説明する。
【００７０】
設定受付部１００は、例えば、画面２００Ｄにおいて、終了時刻（時）を決定する操作を受け付けると、画面２００Ｅを操作パネルのディスプレイ２１に表示する。なお、画面２００Ｅでは、終了時刻１７：００が１７：２０に変更された場合を表している。
【００７１】
領域２８０の終端は、終了時刻（分）に対応する回転角度の位置に表示される。開始時刻（時）が終了時刻（時）よりも前である場合、領域２８０の始端は、０分の位置に表示される。開始時刻（時）が終了時刻（時）と同じである場合、領域２８０の始端は、開始時刻（分）に対応する回転角度の位置に表示される。
【００７２】
また、円環状領域２６０の外側の領域には、領域２８０の終端の近傍に終了時刻が文字で表示される。また、円環状領域２１０の外側の領域には、省電力禁止時間帯を示す領域の終端の近傍に変更対象時刻（終了時刻）を指す画像２９０が表示される。本図では、画像２９０は矢印の形状である。画像２９０の表示に替えて、領域の始端を点滅させたり、強調表示させたりするようにしてもよい。
【００７３】
また、変更対象である終了時刻（分）の数値（「１７：２０」の「２０」）に、カーソル２５０が表示される。
【００７４】
設定受付部１００は、例えば、キー２３の操作に応じて、カーソル２５０が表示されている終了時刻（分）の数値を増減させるとともに、終了時刻（分）に対応する回転角度の位置に、円環状領域２６０の領域２８０の終端を変更する。また、テーブル１０１のレコードの内容も変更する。
【００７５】
設定受付部１００は、図９〜１０に示すような画面を表示するようにしてもよい。図９〜１０は、上述の図４〜８の場合と比べて、ディスプレイ２１の面積が小さい場合の表示態様である。
【００７６】
図９は、省電力禁止時間帯を表示する画面の第二の例を示す図である。図４と異なる点を中心に説明する。
【００７７】
設定受付部１００は、例えば、操作パネル２０のキー操作により、省電力禁止時間帯を表示するためのメニュー項目の選択を受け付けると、画面３００Ａをディスプレイ２１に表示する。
【００７８】
画面３００Ａには、円環状領域３１０が表示される。円環状領域３１０は、上述の画面２００Ａの円環状領域２１０と同様である。省電力禁止時間帯の開始時刻及び終了時刻と、現在時刻は、円環状領域３１０の外側に、文字として表示される。
【００７９】
図１０は、省電力禁止時間帯を設定する画面の第二の例と、画面遷移の一例を示す図である。画面３００Ｂ〜Ｅについては、図５〜８と異なる点を中心に説明する。
【００８０】
設定受付部１００は、例えば、操作パネル２０を介して、設定メニューを表示する操作を受け付けると、画面４００Ａをディスプレイ２１に表示する。画面４００Ａには、複数のメニュー項目が含まれており、省電力禁止時間帯を設定するための項目が含まれる。
【００８１】
設定受付部１００は、例えば、画面４００Ａにおいて、項目「省電力禁止時間帯」の選択を受け付けると、画面４００Ｂを表示する。画面４００Ｂには、省電力禁止時間帯の設定を使用することを指示する項目と、使用しないことを指示する項目とが含まれている。
【００８２】
設定受付部１００は、例えば、画面４００Ｂにおいて、項目「使用する」の選択を受け付けると、画面３００Ｂを表示する。
【００８３】
画面３００Ｂには、円環状領域３１０が表示される。円環状領域３１０は、上述の画面２００Ｂの円環状領域２１０と同様である。円環状領域３１０の外側には、省電力禁止時間帯の開始時刻が文字として表示される。画面３００Ｂは、開始時刻（時）の設定変更を受け付ける画面であり、変更対象である開始時刻（時）の数値（「８：００」の「８」）に、カーソル３５０が表示される。
【００８４】
設定受付部１００は、例えば、キー２３の操作に応じて、カーソル３５０が表示されている開始時刻（時）の数値を増減させるとともに、開始時刻（時分）に対応する回転角度の位置に、円環状領域３１０の省電力禁止時間帯領域の始端を変更する。
【００８５】
設定受付部１００は、例えば、画面３００Ｂにおいて、所定の操作を受け付けると、画面３００Ｃを表示する。
【００８６】
画面３００Ｃには、円環状領域３１０に加え、円環状領域３６０が表示される。円環状領域３６０は、上述の画面２００Ｃの円環状領域２６０と同様である。円環状領域３６０の外側には、省電力禁止時間帯の開始時刻が文字として表示される。画面３００Ｃは、開始時刻（分）の設定変更を受け付ける画面であり、変更対象である開始時刻（分）の数値（「８：２０」の「２０」）に、カーソル３５０が表示される。
【００８７】
設定受付部１００は、例えば、キー２３の操作に応じて、カーソル３５０が表示されている開始時刻（分）の数値を増減させるとともに、開始時刻（時分）に対応する回転角度の位置に、円環状領域３６０の省電力禁止時間帯領域の始端を変更する。
【００８８】
設定受付部１００は、例えば、画面３００Ｃにおいて、所定の操作を受け付けると、画面３００Ｄを表示する。
【００８９】
画面３００Ｄには、円環状領域３１０が表示される。円環状領域３１０は、上述の画面２００Ｄの円環状領域２１０と同様である。円環状領域３１０の外側には、省電力禁止時間帯の終了時刻が文字として表示される。画面３００Ｄは、終了時刻（時）の設定変更を受け付ける画面であり、変更対象である終了時刻（時）の数値（「１７：００」の「１７」）に、カーソル３５０が表示される。
【００９０】
設定受付部１００は、例えば、キー２３の操作に応じて、カーソル３５０が表示されている終了時刻（時）の数値を増減させるとともに、終了時刻（時分）に対応する回転角度の位置に、円環状領域３１０の省電力禁止時間帯領域の終端を変更する。
【００９１】
設定受付部１００は、例えば、画面３００Ｄにおいて、所定の操作を受け付けると、画面３００Ｅを表示する。
【００９２】
画面３００Ｅには、円環状領域３１０に加え、円環状領域３６０が表示される。円環状領域３６０は、上述の画面２００Ｅの円環状領域２６０と同様である。円環状領域３６０の外側には、省電力禁止時間帯の終了時刻が文字として表示される。画面３００Ｅは、終了時刻（分）の設定変更を受け付ける画面であり、変更対象である終了時刻（分）の数値（「１７：２０」の「２０」）に、カーソル３５０が表示される。
【００９３】
設定受付部１００は、例えば、キー２３の操作に応じて、カーソル３５０が表示されている終了時刻（分）の数値を増減させるとともに、終了時刻（時分）に対応する回転角度の位置に、円環状領域３６０の省電力禁止時間帯領域の終端を変更する。
【００９４】
設定受付部１００は、画面３００Ｄにおいて、所定の操作を受け付けると、画面４００Ａを再び表示する。このようにして、省電力禁止時間帯の設定が終了する。
【００９５】
以上の機能構成は、プリンター１の構成を理解容易にするために、主な処理内容に応じて分類したものである。構成要素の分類の仕方や名称によって、本願発明が制限されることはない。プリンター１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００９６】
また、以上の各画面の構成は、一例を示したものであり、画面内の各構成要素の形状、大きさ、色、配置等は、適宜変更してよい。また、上記では、省電力禁止時間帯を設定するようにしているが、省電力許可時間帯を設定するようにしてもよい。また、上記では、円環状領域２１０及び円環状領域３１０において禁止時間帯領域２２０の始端及び終端は、分単位で位置が決められているが、分を考慮せずに時単位で位置が決められるようにしてもよい。また、上記では、円環状領域２１０とともに円環状領域２６０が表示されているが、分単位の設定の際には、円環状領域２１０は表示されないようにしてもよい。
【００９７】
以上、本発明の第一実施形態の一例について説明した。本実施形態によれば、印刷装置における動作モードの時間帯の設定の使い勝手を向上することができる。
【００９８】
より具体的には、本実施形態では、環状の領域に、禁止時間帯及び許可時間帯が、異なる態様で図形によりグラフィカル表示される。このような構成により、各時間帯の長さや割合を直感的に認識することができる。また、本実施形態では、環状の領域上に現在時刻が図形によりグラフィカル表示される。このような構成により、各時間帯の開始又は終了まで、現在時刻のからどのくらいの時間があるのかを直感的に認識することができる。
【００９９】
また、本実施形態では、時間帯の開始時刻及び終了時刻を分単位で設定する際には、時を設定する環状領域とは別に、分を設定する環状領域が拡大表示される。このような構成により、分単位の時間帯を直感的に認識し、設定し易くなる。また、ディスプレイが小さい場合であっても、分単位の時間帯を直感的に認識し、設定し易くなる。
【０１００】
なお、上記の本発明の実施形態は、本発明の要旨と範囲を例示することを意図し、限定するものではない。多くの代替物、修正および変形例が当業者にとって明らかである。
【０１０１】
例えば、環状領域は、この円い形に限られず、例えば、矩形の環状領域を用いるようにしてもよい。具体的には、図１１に示すように、画面５００には、矩形環状領域５１０が表示される。矩形環状領域５１０には、禁止時間帯領域５２０と、許可時間帯領域５３０とが表示される。また、現在時刻領域５４０が表示される。時単位の設定を行う環状領域や、分単位の設定を行う環状領域についても、矩形としてもよい。
【０１０２】
また、上記の実施形態では、設定受付部１００が操作パネル２０を介して禁止時間帯の設定を受け付けているが、例えば、ネットワークＩ／Ｆ４０を介して、プリンター１と接続されるＰＣなどのコンピューターから設定を受け付けるようにしてもよい。具体的には、設定受付部１００は、ＰＣからのアクセスに応じて各種画面の表示情報をＰＣに送信する。ＰＣは、表示情報に基づいて各種情報を表示し、開始時刻や終了時刻の設定を受け付け、設定情報をプリンター１に送信する。設定受付部１００は、受信した設定情報により開始時刻や終了時刻を設定する。
【０１０３】
ＰＣは、例えば、図１２に示すような画面６００をディスプレイに表示する。なお、画面６００は、例えば、ＷＥＢブラウザーが表示するようにしてもよいし、プリンタードライバーが表示するようにしてもよい。画面６００には、円環状領域６１０が表示される。円環状領域６１０は、上述した円環状領域２１０等と同様である。画面６００には、開始時刻（時分）を入力するための開始時刻欄６２０と、終了時刻（時分）を入力するための終了時刻欄６３０とが含まれる。また、入力された時刻を反映するための設定ボタン６４０が含まれる。
【０１０４】
ＰＣは、キーボード等の操作により、開始時刻欄６２０に入力された時刻に対応させて、禁止時間帯領域の始端を変更して表示する。また、ＰＣは、終了時刻欄６３０に入力された時刻に対応させて、禁止時間帯領域の終端を変更して表示する。また、ＰＣは、設定ボタン６４０の選択を受け付けると、開始時刻欄６２０及び終了時刻欄６３０に設定された時刻情報を、プリンター１に送信する。
【０１０５】
なお、設定受付部１００は、表示情報の替わりに、開始時刻及び終了時刻をＰＣに送信し、ＰＣは、予め有する表示情報と、受信した開始時刻及び終了時刻とを用いて、グラフィックス表示するようにしてもよい。
【０１０６】
また、上記の実施形態では、円環状領域２１０及び円環状領域３１０は２４時間表示に限られず、例えば、１２時間表示であってもよい。具体的には、設定受付部１００は、図１３に示すような画面７００を表示する。画面７００には、０〜１２時の時間帯を表す円領域７１０と、１２〜２４時までの時間帯を示す円環状領域７２０とが表示される。本図では、円環状領域７２０の内側に、円領域７１０が表示されている。もちろん、円領域７１０を円環状としてもよい。
【０１０７】
円領域７１０及び円環状領域７２０には、省電力禁止時間帯に対応する領域が表示される。禁止時間帯の開始時刻が０〜１２時の範囲内であり、終了時刻が１２〜２４時の範囲内である場合、円領域７１０では、禁止時間帯領域の終端が０時の位置に表示され、円環状領域７２０では、禁止時間帯領域の始端が２４時の位置に表示される。一方、禁止時間帯の開始時刻が１２〜２４時の範囲内であり、終了時刻が０〜１２時の範囲内である場合、円環状領域７２０では、禁止時間帯領域の終端が２４時の位置に表示され、円領域７１０では、禁止時間帯領域の始端が０時の位置に表示される。円領域７１０及び円環状領域７２０には、現在時刻領域７３０が表示される。本図では、円環状領域７２０に領域７３０が表示されている。
【０１０８】
なお、円領域７１０は、円環状としてもよい。また、２４時間表示と１２時間表示をユーザーの操作により切り替え可能であってもよい。また、円領域７１０を円環状領域７２０内に表示せずに、別々に分けて表示してもよい。
【０１０９】
また、上記実施形態では、禁止時間帯を一つ設定する場合を説明したが、複数の禁止時間帯を設定できるようにしてもよい。なお、この場合、省電力禁止時間帯テーブル１０１には、禁止時間帯ごとにレコードが格納される。
【０１１０】
具体的には、設定受付部１００は、例えば、図１４に示すような、画面８００を表示する。本図では、第一の省電力禁止時間帯（開始時刻８：００、終了時刻１１：００）と、第二の省電力時間帯（開始時刻１３：００、終了時刻１７：００）とが設定されている。
【０１１１】
画面８００には、円環状領域８１０が表示される。円環状領域８１０には、第一の省電力禁止時間帯に対応する禁止時間帯領域８２０ａと、第二省電力禁止時間帯に対応する禁止時間帯領域８２０ｂと、省電力許可時間帯を示す許可時間帯領域８３０とが含まれる。領域８２０ａ及び領域８２０ｂと、領域８３０とは、異なる態様で表示される。３つの領域を互いに異なる態様で表示してもよい。
【０１１２】
また、円環状領域８１０上には、現在時刻領域８４０が表示される。また、円環状領域８１０の外側の領域には、領域８２０ａ及び領域８２０ｂのそれぞれの始端の近傍にその開始時刻が文字で表示される。また、領域８２０ａ及び領域８２０ｂのそれぞれの終端の近傍にその終了時刻が文字で表示される。
【０１１３】
各時刻（時）の設定方法は、上述の実施形態と同様であり、変更対象の数値にカーソルを表示すればよい。また、各時刻（分）の設定方法も、上述の実施形態と同様であり、設定対象の開始時刻及び終了時刻の分を設定する円環状領域を表示すればよい。また、設定受付部１００は、まず、設定対象の電力禁止時間帯の選択を受け付け、それから選択された時間帯に対応する領域について、例えば、開始時刻の時、分、終了時刻の時、分の順序で設定変更を受け付ければよい。
【符号の説明】
【０１１４】
１：プリンター、１０：コントローラー、１１：ＣＰＵ、１２：ＲＡＭ、１３：ＲＯＭ、２０：操作パネル、２１：ディスプレイ、２２：キー、２３（ａ〜ｄ）：キー、３０：印刷エンジン、４０：ネットワークＩ／Ｆ、１００：設定受付部、１０１：省電力禁止時間帯テーブル、１１０：印刷制御部、２００（Ａ〜Ｅ）：画面、２１０：円環状領域、２２０：禁止時間帯領域、２３０：許可時間帯領域、２４０：現在時刻領域、２５０：カーソル、２６０：円環状領域、２７０：許可時間帯領域、２８０：禁止時間帯領域、２９０：画像、３００（Ａ〜Ｅ）：画面、３１０：円環状領域、３５０：カーソル、３６０：円環状領域、４００（Ａ〜Ｂ）：画面、５００：画面、５１０：矩形環状領域、５２０：禁止時間帯領域、５３０：許可時間帯領域、５４０：現在時刻領域、６００：画面、６１０：円環状領域、６２０：開始時刻欄、６３０：終了時刻欄、６４０：設定ボタン、７００：画面、７１０：円領域、７２０：円環状領域、７３０：領域、８００：画面、８１０：円環状領域、８２０（ａ〜ｂ）：禁止時間帯領域、８３０：許可時間帯領域、８４０：現在時刻領域
【図１】
0005899677.tif 000002
【図２】
0005899677.tif 000003
【図３】
0005899677.tif 000004
【図４】
0005899677.tif 000005
【図５】
0005899677.tif 000006
【図６】
0005899677.tif 000007
【図７】
0005899677.tif 000008
【図８】
0005899677.tif 000009
【図９】
0005899677.tif 000010
【図１０】
0005899677.tif 000011
【図１１】
0005899677.tif 000012
【図１２】
0005899677.tif 000013
【図１３】
0005899677.tif 000014
【図１４】
0005899677.tif 000015